(57)【特許請求の範囲】
【請求項１】
立設された固定枠体と、該固定枠体に対して一対の軸を中心に回動して開閉可能に設けられた可動枠体と、前記固定枠体と前記可動枠体との間に介在し、且つ前記各軸に両端を軸支された複数の骨材と、前記可動枠体が前記固定枠体に対して略直角となる位置にて張架し、且つ前記固定枠体と前記可動枠体との間に前記各骨材を所定の角度で配置するように取付けたネットとを備え、
前記ネットには、前記固定枠体の上部を構成する上部基材と前記各骨材のうちで最も上方に位置する骨材との間に開口孔が形成され、さらに該開口孔を覆う蓋体ネットを設けて、該蓋体ネットの一端縁を前記上部基材に取付けし、その他端縁を自由端として、
前記固定枠体に対して前記可動枠体を開いた際に、前記ネット内の前記固定枠体と前記各骨材と前記可動枠体とで囲まれた空間内にごみを収納可能とするとともに、前記可動枠体を閉じた際に、前記固定枠体と前記可動枠体とを合わせて、前記空間内に置かれた前記ごみを収集可能としたことを特徴とするごみ収納装置 。
【請求項２】
前記可動枠体にはＬ字状に折り曲げた取手部が回動可能に設けられ、該取手部を用いて前記可動枠体が開閉されると共に、前記固定枠体に前記可動枠体を閉じる際に、前記固定枠体に前記取手部のＬ字部分を回動させて嵌着するようにしたことを特徴とする請求項１に記載のごみ収納装置 。
【請求項３】
前記可動枠体を２個設け、前記固定枠体の表裏面側にそれぞれ配置して、互いに反対方向に開閉可能としたことを特徴とする請求項１または２に記載のごみ収納装置 。
【請求項４】
前記固定枠体には立設した支柱部が取付けられて、前記可動枠体が前記固定枠体に閉じられた後、前記支柱部を中心に該固定枠体を回転させて所定の位置に格納するようにしたことを特徴とする請求項１乃至３のいずれかに記載のごみ収納装置 。
【発明の詳細な説明】
【０００１】
【発明の属する技術分野】
本発明は、家庭用または業務用ごみのごみ収納装置に関し、特に所定のごみ集積所にまとめて捨てられるごみのごみ収集車による回収に最適な折り畳み式のごみ収納装置に関する。
【０００２】
【従来の技術】
一般に、家庭または商店から出されたごみは、決められた収集日に定期的に予め決められたごみ集積所にビニール袋に入れて出されるようになっている。
その際に、ごみ集積所としてごみ収集車が回収しやすいように道路脇等に臨時に置かれるケースが多く、また近年、各地方自治体の指導により、透明なビニール袋にごみを入れるようになってきているとともに、所定の大きさのごみ袋にごみを小別けして収納するようになってきている。
【０００３】
【発明が解決しようとする課題】
ところで、道路脇などのごみ集積所に置かれたごみは、からすや猫などの小動物にごみを荒らされないようにネットをかぶせて、これら小動物からの被害を防いでいる。
【０００４】
しかしながら、地面に置かれたごみ袋は、ネットの内側に必ず置かれるとは限らずはみ出してしまったり、ネットの隙間から露出してしまい、小動物からの被害を受けるおそれがあった。
【０００５】
また、ごみ集積所にごみを出した人が小動物からごみを荒らされる被害を防ぐために、ごみ袋を一旦地面に降ろして、既に置かれている他のごみ袋を覆っているネットをはずした後で、自分のごみ袋を所定の位置に置き、それからネットを被せる必要があった。
【０００６】
また、ごみ収集車にてごみを回収する際にも、ごみ収集業者がごみを出した人と同じように、ネットをごみから寄せる際に、ネットがかさばって作業性が悪いという問題があった。
【０００７】
また、ネットが紛失しないように、ごみを収集した後でも、道路脇に沿って配置された電柱に一部を結び付けたままになっており、景観が悪いという問題がある。
【０００８】
本発明の目的は、以上の問題点に鑑みてなされたもので、誰でもが簡単にネットの開閉ができ、さらに持ち運びが容易にできるようにした折り畳み式のごみ収納装置を提供することにある。
【０００９】
【課題を解決するための手段】
上記課題の少なくとも１つを解決するための第１の解決手段として、立設された固定枠体と、該固定枠体に対して一対の軸を中心に回動して開閉可能に設けられた可動枠体と、前記固定枠体と前記可動枠体との間に介在し、且つ上記各軸に両端を軸支された複数の骨材と、前記可動枠体が前記固定枠体に対して略直角となる位置にて張架し、且つ前記固定枠体と前記可動枠体との間に前記各骨材を所定の角度で配置するように取付けたネットとを備え、前記固定枠体に対して前記可動枠体を開いた際に、前記ネット内の前記固定枠体と前記各骨材と前記可動枠体とで囲まれた空間内にごみを収納可能とするとともに、前記可動枠体を閉じた際に、前記固定枠体と前記可動枠体とを合わせて、前記空間内に置かれた前記ごみを収集可能としたものである。
【００１０】
また、前記ネットには、前記固定枠体の上部を構成する上部基材と前記各骨材のうちで最も上方に位置する骨材との間に上方に向いた開口孔が形成され、さらに該開口孔を覆う蓋体ネットを設けて、該蓋体ネットの一端縁を前記上部基材に取付けし、その他端縁を自由端としたものである。
【００１１】
また、第２の解決手段として、前記可動枠体にはＬ字状に折り曲げた取手部が回動可能に設けられ、該取手部を用いて前記可動枠体が開閉されると共に、前記固定枠体に前記可動枠体を閉じる際に、前記固定枠体に前記取手部のＬ字部分を回動させて嵌着するようにしたものである。
【００１２】
また、第３の解決手段として、可動枠体を２個設け、固定枠体の表裏面側にそれぞれ配置して、互いに反対方向に開閉可能としたものである。
【００１３】
また、第４の解決手段として、固定枠体には立設した支柱部が取付けられて、前記可動枠体が前記固定枠体に閉じられた後、前記支柱部を中心に該固定枠体を回転させて所定の位置に格納するようにしたものである。
【００１４】
【発明の実施の形態】
本発明の第１の実施形態である折り畳み式のごみ収納装置１０を図１乃至図６に基づいて以下に説明する。
図１及び図２に示すように、このごみ収納装置１０は、鉄やアルミニウム等の金属製の四角い固定枠体１２と、この固定枠体１２に対向配置された、同じ金属製の四角い可動枠体１４とを備えている。
上記固定枠体１２は、断面がＬ字状をした細長い第１の角材（基材）１２ａと、該第１の角材（基材）１２ａの両端からそれぞれ直角に延びた、断面がＬ字状をした第２、第３の角材（基材）１２ｂ、１２ｃと、第１の角材（基材）１２ａに平行に配置され、第２、第３の角材（基材）１２ｂ、１２ｃとそれぞれ直角に繋がった、断面がＬ字状をした第４の角材（基材）１２ｄとから構成されている。
【００１５】
上記第１の角材１２ａには、その両端側に一対の脚部１６ａ、１６ｂが取付けられている。なお、これら脚部１６ａ、１６ｂは搬送時に第１の角材１２ａと平行となるようにそれぞれねじなどで回動自在に軸支してもよい。
【００１６】
また第４の角材１２ｄの中央部表面には後述する取手部２０を止めるためのかぎ状をしたフック１８が設けられている。
さらに第２，第３の角材１２ｂ、１２ｃ間には金属製の補強部材１５が取付けられている。
【００１７】
上記可動枠体１４は、断面がＬ字状をした細長い第１、第２の角材１４ａ、１４ｂを備え、第１、第２の角材１４ａ、１４ｂの一端を断面がＬ字状をした第３の角材１４ｃが直角となるように一体に取付けられている。
そして、第１、第２の角材１４ａ、１４ｂの他端部は、一対の脚部１６ａ、１６ｂに回動自在に軸支され、可動枠体１４は所定の間隔を設けて固定枠体１２に対して開閉可能となっている。
【００１８】
図４に示すように、上記第３の角材１４ｃの中央部表面には取手部２０が設けられている。
この取手部２０は、所定の間隔にて取付固定された一対の六角ナット２０ａ、２０ａと、これら六角ナット２０ａ，２０ａ間に基端側が回動可能に軸支され、先端側がＬ字状をしたアーム２０ｂとから構成されている。アーム２０ｂの先端には円柱状をした当接部２０ｃが設けられ、固定枠体１２のフック１８と嵌着（係合）するようになっている。
【００１９】
図１に示すように、第１、第２、第３の骨材部２４，２６，２８は、剛性を有する金属製の線材をΠ状に折り曲げて形成され、それぞれの先端が中央に孔を有するワッシャ形状をした取付部２４ａ、２６ａ、２８ａになっている。
そして、第１、第２、第３の骨材２４，２６，２８が固定枠体１２及び可動枠体１４に一対の支軸を介してそれぞれの軸受部２４ａ、２６ａ、２８ａ（図１１参照）を通して順次回転可能に取付けられるようになっている。
また、第１、第２、第３の骨材２４、２６、２８は、可動枠体１４が固定枠体１２に対して開く際には、後述するネット３０によって所定の角度をもって配置され、また閉じられた際には固定枠体１２と可動枠体１４との間にネット３０と共に折り畳まれるようになっている。
【００２０】
上記可動枠体１４は、支軸を中心に開閉できるようになっていて、可動枠体１４が開放される際に、固定枠体１２に対して約９０度の角度で開き、第１、第２、第３の骨材２４、２６、２８で３等分するように網目の細かい樹脂製のネット３０がごみ収納装置全体を覆うように取付けられている。
このとき、ネット３０は可動枠体１４が固定枠体１２に対して略直角となる位置にて張架するようになっている。
そして、ネット３０には、固定枠体１２の第４の角材１２ｄと第１の骨材２４との間に矩形状をした開口孔３０ａが形成されて、この開口孔３０ａからごみが入れられるようになっている。
また可動枠枠体１４は、単に枠部分のみで構成しているので、その内部は開口部分となって、後述するごみ回収時にごみだけをそのまま置いた状態にして可動枠体１４だけを持ち上げられるようになっている。
【００２１】
図３に示すように、ネット３０の開口孔３０ａを覆うように、開閉可能な矩形状をした蓋体ネット３５が設けられ、その基端縁を固定枠体１２の第４の角材１２ｄに取付けし、その先端縁には金属製の丸い細長の棒材３７が取付けられて、棒材３７の自重にて第２の骨材２６及び第３の骨材２８側のネット３０部分を覆うようになっている。
【００２２】
次に、このごみ収納装置１０を使用するための操作方法を図５Ａ乃至図５Ｃに基づいて以下に説明する。
先ず、図５Ａに示すように、折り畳まれた状態にあるごみ収納装置１０は、固定枠体１２に対して、各骨材２４、２６、２８及び蓋体ネット３５を挟んだ状態で可動枠体１４を閉じて折り畳まれた状態にある。
このとき、固定枠体１２のフック１８に可動枠体１４の取手部２０が係合されている。なお、ごみ収納装置１０はごみ集積所などで使用されるために操作される。
【００２３】
次に、図５Ｂに示すように、ごみ当番となった者やごみ捨て者等の操作者は、取手部２０のアーム部２０ｂを把持して、取手部２０を六角ナット２０ａ，２０ａ間の軸を中心に回動させ、片手でフック１８の当接部２０ｃから取手部２０との係合部分を離脱させる。さらに、可動枠体１４及び骨材２４、２６、２８の自重を利用して、可動枠体１４の第１、第２の角材１４ａ、１４ｂ及び各骨材２４，２６，２８の一端を支軸としてネット３０を扇状に徐々に拡げて、可動枠体１４が固定枠体１２に対して約９０度の角度に開いて、可動枠体１４を地面に当接させる。
このとき、固定枠体１２と可動枠体１４との間に各骨材２４，２６，２８がほぼ等間隔の拡がり角で拡がる。また、固定枠体１２の第４の角材１２ｄと第１の骨材２４間で、且つ上方の開口孔３０ａが蓋体ネット３５で覆われる。
【００２４】
次に、ごみ捨て者等は、一方の手にごみの入ったごみ袋を持った状態で、他方の手で蓋体ネット３５を片手で開けて、開口孔３０ａを露出させ、この開口孔３０ａからごみ袋を挿入する。その後に、蓋体ネット３５を元の開口孔３０ａを覆うようにする。
【００２５】
次に、ごみ収集者がごみ収納装置１０からごみを収集する操作方法を図６Ａ乃至図６Ｃに基づいて以下に説明する。
先ず、図６Ａに示すように、ごみ収納装置１０は固定枠体１２に対して可動枠体１４が開いた状態にある。
ごみ収集者は、可動枠体１４に取付けられた取手部２０を片手で持ち上げる。次に、図６Ｂに示すように、可動枠体１４及び各骨材２４，２６，２８を固定枠体１２の方に支軸を中心に回動させる。さらに、図６Ｃに示すように、固定枠体１２に設けたフック部１８に可動枠体１４に取付けた取手部２０を係合させる。このとき、図４に示すように、六角ナット２０ａ，２０ａ間の軸を中心に取手部２０のアーム部２０ｂが回動して、固定枠体１２の第４の角材１２ｄの側壁にアーム部２０ｂの曲がり部分を確実に係合して、可動枠体１４が元の開いた状態に戻らなうようにロックされる。
【００２６】
このように構成されたごみ収納装置１０は、上方に開放された開口孔３０ａからごみを挿入できるので、無理な姿勢やかがんだ姿勢などせずに簡単にごみを挿入できるとともに、通常は蓋体ネット３５がネット３０の開口孔３０ａを覆っているので、収納したごみを外部から小動物などによって荒らされる心配がない。さらに、ごみ収納装置１０は、開口孔３０ａを除き、その周囲を囲む構造となっているので、ごみの入ったごみ袋を積み上げ重ねて収納できるので、収納体積を増やすことができる。
【００２７】
また、ごみ収集の際には、ごみ回収業者は、可動枠体１４を固定枠体１２に片手で閉じるだけでよく、積み上げられたごみ袋を楽に運ぶことができる。
【００２８】
また、各骨材２４，２６，２８が均等に配置されているので、ネット３０の型くずれが防止でき、外観形状が維持され、長期間の使用に耐えることができるとともに、外観の印象の良いものにすることができる。
【００２９】
また、ごみ収納装置１０は、固定枠体１２及び可動枠体１４にマグネシウム、アルミニウムなど軽い金属を用いることにより、軽量化が図られ、同じ形状の固定枠体１２と可動枠体が合体し、しかも取手部２０がフック１８にしっかり嵌着しているので誰でもが簡単に運搬することができる。この際に、脚部１６ａ、１６ｂにローラなどの回転機構を取付けた際により一層運搬を楽におこなうことができる。
【００３０】
次に、本発明の第２の実施形態であるごみ収納装置５０を図７乃至図１１に基づいて以下に説明する。
なお、上記ごみ収納装置１０を構成する構成部材と同じものについては、同一符号を付して詳細な説明を省略する。
このごみ収納装置５０は、上述したごみ収納装置１０と比べて、開口孔３０ａ及び蓋体ネット３５がなく、ネット３０で全てが覆われていることを特徴としている。
【００３１】
図７乃至図９に示すように、固定枠体１２の第１、第２、第３の角材１２ａ、１２ｂ、１２ｃは、その長手方向に沿って内方側を略直角に折り曲げ形成した立ち上げ片１２ｇを有している。また、第４の角材１２ｄの中央部分にはフック１８が取付けられている。そして、可動枠体１４の第１、第２、第３の角材１４ａ、１４ｂ、１４ｃは、その長手方向に沿って外方側を略直角に折り曲げ形成した立ち上げ片１４ｇを有している。また、第３の角材１４ｂの中央部分には取手部２０が取付けられている。
そして、図１０に示すように、金属製の２個の細長いボルト５５が固定枠体１２と可動枠体１４とを一端側でそれぞれ軸支し、これら固定枠体１２と可動枠体１４との間には、各骨材２４，２６，２８の両端に形成したワッシャ形をした軸受部２４ａ、２６ａ、２８ａ（図１１参照）を介して回動可能に軸支されている。
さらに、ボルト５５の両端は、ナットなどのボルト止め５６にて抜けないようになっている。
【００３２】
このように構成されたごみ収納装置５０は、ごみの入ったごみ袋を捨てる際に片手で取手部２０をもって可動枠体１４を固定枠体１２側に持ち上げて行われる。
他の操作方法については、上述したごみ収納装置１０とほぼ同じである。
このように、ごみ収納装置５０は、可動枠体１４の開口を除いた全てをネット３０で覆われているので、構成をシンプルにすることができ、簡単に組み立てることができる。
【００３３】
次に、本発明の第３の実施形態であるごみ収納装置６０を図１２乃至図１４に基づいて以下に説明する。
このごみ収納装置６０は、１つの固定枠体１２に対して互いに反対方向に開閉する２つの可動枠体１４（１４ｍ、１４ｎ）が設けられたことを特徴としている。
また、ごみ収納装置６０は支柱部６２が設けられて設置され、この支柱部６２を軸中心にしてコンパクトに収納できるようになっている。
【００３４】
図１２及び図１３に示すように、ごみ収納装置 ６０は、上記固定枠体１２と、この固定枠体１２の両側に対向配置された第１、第２の可動枠体１４ｍ、１４ｎとを備えている。第１、第２の可動枠体１４ｍ，１４ｎは、第２の実施形態の可動枠体１４と実質的に同じである。そして、固定枠体１２の第１の角材１２ｂの下端側には金属または樹脂製の支柱部６２が取付けられていて、この支柱部６２の先端が地面に固定されるようになっている。さらに固定枠体１２に対してネット３０を折り畳んで可動枠体１４ｍ，１４ｎを閉じた状態で支柱部６２の軸を中心に回動させることができるようになっている。
【００３５】
したがって、図１４に示すように、ごみ収納装置６０は、ブロック塀などの外壁７０を利用してごみ集積所内に設置され、使用しないときには、ごみ収納装置６０の可動枠体１４ｍ、１４ｎを一体にした固定枠体１２を外壁７０に沿って完全に収納することができる。ごみ収納装置６０を使用するときには、支柱部６２を軸中心にして固定枠体１２を９０度回転させ、さらにフック１８から取手部２０をはずし、固定枠体１２から可動枠体１４ｍ、１４ｎを図中の左右方向にそれぞれ開いて行われる。
【００３６】
このように構成されたごみ収納装置６０は、ごみの収納体積を倍にして大きくしたので、よりたくさんのごみを収納することができると共に、使用しないときには外壁７０の方によせて邪魔にならないようにコンパクトに折り畳むことができる。また、ごみ収集所のスペース面積に合わせて、可動枠体６２，６４のいずれか一方を使用してごみを収集し、その都度臨機応変に対応することができる。
【００３７】
なお、本実施形態で説明したごみ収納装置は１つの例示であって、これらの構成に限定されるものではなく、本発明の趣旨内で自由に構成できることはいうまでもない。
【００３８】
【発明の効果】
以上のように構成されたごみ収納装置 は、立設された固定枠体と、該固定枠体に対して一対の軸を中心に回動して開閉可能に設けられた可動枠体と、固定枠体と前記枠体との間に介在し、且つ各軸に両端を軸支された複数の骨材と、可動枠体が前記枠体に対して略直角となる位置にて張架し、且つ固定枠体と可動枠体との間に各骨材を所定の角度で配置するように取付けたネットとを備え、ネットには、固定枠体の上部を構成する上部基材と各骨材のうちで最も上方に位置する骨材との間に上方に向いた開口孔が形成され、さらに該開口孔を覆う蓋体ネットを設けて、該蓋体ネットの一端縁を上部基材に取付けし、その他端縁を自由端として、固定枠体に対して可動枠体を開いた際に、ネット内の固定枠体と各骨材と可動枠体とで囲まれた空間内にごみを収納可能とするとともに、可動枠体を閉じた際に、固定枠体と可動枠体とを合わせて、空間内に置かれたごみを収集可能としたことにより、必ずネット内にごみが収納されているので、小動物に荒らされることがない。また、ごみを回収する際に、単に可動枠体を持ち上げればよく、ごみ回収が容易に行えるので作業性を向上させることができる。
【００３９】
また、ごみを出した際に、ごみ袋をもたない方の片手で蓋体ネットを簡単に持ち上げて開口孔からごみを挿入することができ、従来のようにかがんだ姿勢でネット内にごみをいれる煩雑さがない。
【００４０】
また、可動枠体にはＬ字状に折り曲げた取手部が回動可能に設けられ、該取手部を用いて可動枠体が開閉されると共に、固定枠体に可動枠体を閉じる際に、固定枠体に取手部のＬ字部分を回動させて嵌着するようにしたことにより、片手で固定枠体に可動枠体が簡単に嵌着させることができ、利便性がある。
【００４１】
また、可動枠体を２個設け、固定枠体の表裏面側にそれぞれ配置して、互いに反対方向に開閉可能としたことにより、ごみの収納体積を倍に増やすことができる。
【００４２】
また、固定枠体には立設した支柱部が取付けられて、可動枠体が固定枠体に閉じられた後、支柱部を中心に該固定枠体を回転させて所定の位置に格納するようにしたことにより、ごみ収集所の隅部分にコンパクトに格納させることができ、持ち運びしなくても使用することができる。
【図面の簡単な説明】
【図１】本発明の第１の実施形態であるごみ収納装置の全体斜視図である。
【図２】本発明の第１の実施形態であるごみ収納装置の要部拡大斜視図である。
【図３】本発明の第１の実施形態であるごみ収納装置の蓋体ネットの要部拡大斜視図である。
【図４】本発明の第１の実施形態であるごみ収納装置の取手部の要部拡大斜視図である。
【図５】本発明の第１の実施形態であるごみ収納装置の使用を説明するための動作説明図であって、図５Ａは使用前の状態図、図５Ｂはごみを収納する状態図、図５Ｃはごみを収納した後の状態図をそれぞれ示している。
【図６】本発明の第１の実施形態であるごみ収納装置のごみ収集時における動作説明図であって、図６Ａは収納したごみを取り出す前の状態図、図６Ｂはごみを取り出す動作状態図、図６Ｃはごみを回収した後の状態図をそれぞれ示している。
【図７】本発明の第２の実施形態であるごみ収納装置の側面図である。
【図８】本発明の第２の実施形態であるごみ収納装置の固定枠体の正面図である。
【図９】本発明の第２の実施形態であるごみ収納装置の可動枠体の平面図である。
【図１０】本発明の第２の実施形態であるごみ収納装置の固定枠体と可動枠体とのジョイント部の拡大図である。
【図１１】本発明の第２の実施形態であるごみ収納装置の各骨材の取付部分の模式図である。
【図１２】本発明の第３の実施形態であるごみ収納装置の側面図である。
【図１３】本発明の第３の実施形態であるごみ収納装置の正面図である。
【図１４】本発明の第３の実施形態であるごみ収納装置の平面図であり、設置場所への収納操作を説明するためのものである。
【符号の説明】
１０、５０，６０  ごみ収納装置
１２  固定枠体
１２ｄ  上部基材
１４、１４ｍ、１４ｎ  可動枠体
１８  フック
２０  取手部
２４，２６，２８  骨材
３０  ネット
３０ａ  開口孔
３５  蓋体ネット
６２  支柱部
【図１】
0003569490.tif 000002
【図２】
0003569490.tif 000003
【図３】
0003569490.tif 000004
【図４】
0003569490.tif 000005
【図５】
0003569490.tif 000006
【図６】
0003569490.tif 000007
【図７】
0003569490.tif 000008
【図８】
0003569490.tif 000009
【図９】
0003569490.tif 000010
【図１０】
0003569490.tif 000011
【図１１】
0003569490.tif 000012
【図１２】
0003569490.tif 000013
【図１３】
0003569490.tif 000014
【図１４】
0003569490.tif 000015